(57)【要約】【課題】パンツ型とオープン型の両方の使い捨ておむつとして使用することができ、いずれ場合でも装着しやすく、着用感が良好な使い捨ておむつを提供する。【解決手段】前側胴部３と後側胴部４を有する胴周り部２と、後側胴部４から前方に延在する股部５とを有する使い捨ておむつ１であって、股部５は前後方向に前側股部５Ｆと後側股部５Ｂとその間にある中間部５Ｍを有し、前側股部５Ｆが前側胴部３の内側に重ね合わされて固定され、前側股部５Ｆは、幅方向の外方部分が前側胴部３側に折り返されて、折り畳み部６が形成され、前側胴部３の前側左側部３Ｌと前側右側部３Ｒは、切断可能線８が切断された状態で、前側胴部３の前側中央部３Ｃおよび／または前側股部５Ｆに着脱可能であり、前側股部５Ｆは、折り畳み部６の折り返しを展開すると、中間部５Ｍおよび前側中央部３Ｃよりも幅広に形成されている。【選択図】図２
2014226143.tif 000002
【特許請求の範囲】
【請求項１】
前側胴部と後側胴部を有する胴周り部と、
前記後側胴部から前方に延在し、吸収性コアが備えられた股部とを有する使い捨ておむつであって、
前記股部は、前後方向に前側股部と後側股部とこれらの間に位置する中間部を有し、前記前側股部が前記前側胴部の内側に重ね合わされて前記前側胴部に固定部で固定され、
前記前側股部は、前記固定部より幅方向の外方の部分が前記前側胴部側に折り返されて、折り畳み部が形成され、
前記前側胴部は、前記固定部の幅方向両側に形成された切断可能線を有し、前記前側胴部を前記切断可能線で切断することにより、前記固定部を有する前側中央部とその両側の前側左側部と前側右側部とに分離可能であり、
前記前側左側部と前記前側右側部には止着手段が備えられ、前記切断可能線が切断された状態で、前記前側左側部と前記前側右側部が前記止着手段により前記前側中央部および／または前記前側股部に着脱可能であり、
前記前側股部は、前記折り畳み部の折り返しを展開すると、前記中間部および前記前側中央部よりも幅広に形成されていることを特徴とする使い捨ておむつ。
【請求項２】
前記折り畳み部は、前記前側胴部側に折り返された状態で、前記前側股部に仮留めされている請求項１に記載の使い捨ておむつ。
【請求項３】
前記切断可能線は、前記折り畳み部が折り返された状態で、前記前側股部の幅方向の両側縁よりも内方に形成されている請求項１または２に記載の使い捨ておむつ。
【請求項４】
前記前側胴部の前側左側部と前側右側部には、幅方向に延びる弾性部材が配されている請求項１〜３のいずれか一項に記載の使い捨ておむつ。
【請求項５】
前記使い捨ておむつは、前記胴周り部を含む外装体と、前記外装体の内側に、前記吸収性コアが液透過性のトップシートと液不透過性のバックシートの間に配されて形成された吸収性本体が取り付けられて構成され、
前記吸収性本体には、前記前側股部に、前記吸収性本体の幅方向の両側縁より外方に延在するフラップシートが設けられ、前記フラップシートが前記前側胴部側に折り返されることにより前記折り畳み部が形成されている請求項１〜４のいずれか一項に記載の使い捨ておむつ。
【請求項６】
前記フラップシートは、前記バックシートの外側に設けられている請求項５に記載の使い捨ておむつ。
【発明の詳細な説明】
【技術分野】
【０００１】
本発明は、幼児用または大人用の使い捨ておむつに関するものである。詳細には、パンツ型の使い捨ておむつとして使用することができるとともに、オープン型の使い捨ておむつとしても使用することができる使い捨ておむつに関するものである。
【背景技術】
【０００２】
従来、パンツ型の使い捨ておむつとして使用することができるとともに、オープン型の使い捨ておむつとしても使用することができる使い捨ておむつが知られている（例えば、特許文献１、２）。このような使い捨ておむつは、前側胴部と後側胴部を有する胴周り部と、後側胴部から前方に延在する股部を有し、股部の前側部分が前側胴部の内側に重ね合わされてパンツ型に形成されて、パンツ型の使い捨ておむつとして使用できるとともに、前側胴部に設けられた切断可能線を切断すると、オープン型の使い捨ておむつとしても使用することができる。
【先行技術文献】
【特許文献】
【０００３】
【特許文献１】特開２００６−１４１８４３号公報
【特許文献２】特開２００８−３０２１３８号公報
【発明の概要】
【発明が解決しようとする課題】
【０００４】
しかし、特許文献１、２に開示される使い捨ておむつでは、股部の前側部分が一般的なオープン型の使い捨ておむつよりも幅狭に形成され、股部の前側部分を幅方向に拡張させながら着用者の下腹部に当てることが難しく、装着が困難となる場合がある。本発明は前記事情に鑑みてなされたものであり、その目的は、パンツ型とオープン型の両方の使い捨ておむつとして使用することができる使い捨ておむつであって、パンツ型とオープン型のいずれの使い捨ておむつとして使用する場合でも装着しやすく、着用感が良好な使い捨ておむつを提供することにある。
【課題を解決するための手段】
【０００５】
前記課題を解決することができた本発明の使い捨ておむつとは、前側胴部と後側胴部を有する胴周り部と、後側胴部から前方に延在し、吸収性コアが備えられた股部とを有し；股部は前後方向に前側股部と後側股部とこれらの間に位置する中間部を有し、前側股部が前側胴部の内側に重ね合わされて前側胴部に固定部で固定され；前側股部は、固定部より幅方向の外方の部分が前側胴部側に折り返されて、折り畳み部が形成され；前側胴部は固定部の幅方向両側に形成された切断可能線を有し、前側胴部を切断可能線で切断することにより、固定部を有する前側中央部とその両側の前側左側部と前側右側部とに分離可能であり；前側左側部と前側右側部には止着手段が備えられ、切断可能線が切断された状態で、前側左側部と前側右側部が止着手段により前側中央部および／または前側股部に着脱可能であり；前側股部は、折り畳み部の折り返しを展開すると、中間部および前側中央部よりも幅広に形成されているところに特徴を有する。
【０００６】
本発明の使い捨ておむつは、前側股部が中間部および前側中央部よりも幅広に形成されているため、使い捨ておむつをオープン型の使い捨ておむつとして使用する場合に、前側股部を幅方向の外方に引っ張りながら着用者の下腹部に当てることが容易になり、使い捨ておむつを装着しやすくなる。一方、パンツ型の使い捨ておむつとして使用する場合は、前側股部の幅方向の外方部分が前側胴部側に折り返されており、幅広に形成された前側股部が邪魔になりにくくなり、着用感が向上する。
【０００７】
折り畳み部は、前側胴部側に折り返された状態で、前側股部に仮留めされていることが好ましい。折り畳み部が前側股部に仮留めされていれば、使い捨ておむつをパンツ型の使い捨ておむつとして使用する場合に、折り畳み部が不用意に展開しにくくなり、使い捨ておむつの取り扱い性が向上する。
【０００８】
切断可能線は、折り畳み部が折り返された状態で、前側股部の幅方向の両側縁よりも内方に形成されていることが好ましい。切断可能線がこのように形成されていれば、使い捨ておむつをパンツ型の使い捨ておむつとして使用する際に、切断可能線が前側股部と重なって位置することとなり、切断可能線が不用意に切断されにくくなる。
【０００９】
前側胴部の前側左側部と前側右側部には、幅方向に延びる弾性部材が配されていることが好ましい。このように弾性部材が配されていれば、使い捨ておむつをオープン型の使い捨ておむつとして使用する際に、前側左側部と前側右側部を止着手段により前側中央部および／または前側股部に止着する位置を、着用者の体型に合わせて調節しやすくなる。
【００１０】
使い捨ておむつは、例えば、胴周り部を含む外装体と、外装体の内側に、吸収性コアが液透過性のトップシートと液不透過性のバックシートの間に配されて形成された吸収性本体が取り付けられて構成される。この場合、吸収性本体には、前側股部に、吸収性本体の幅方向の両側縁より外方に延在するフラップシートが設けられ、フラップシートが前側胴部側に折り返されることにより折り畳み部が形成されていることが好ましい。このように折り畳み部を形成すれば、折り畳み部を簡単に形成することができる。特に、フラップシートをバックシートの外側に設けることにより、フラップシートを備えた吸収性本体を簡単に製造することができる。
【発明の効果】
【００１１】
本発明の使い捨ておむつは、前側股部が幅広に形成されているため、使い捨ておむつをオープン型の使い捨ておむつとして使用する場合に、前側股部を幅方向の外方に引っ張りながら着用者の下腹部に当てることが容易になり、使い捨ておむつを装着しやすい。一方、パンツ型の使い捨ておむつとして使用する場合は、前側股部の幅方向の外方部分が前側胴部側に折り返されているため、幅広に形成された前側股部が邪魔になりにくくなり、着用感が向上する。
【図面の簡単な説明】
【００１２】
【図１】本発明の使い捨ておむつの一例を表し、パンツ型で使用する場合の使い捨ておむつの正面図を表す。
【図２】図１に示した使い捨ておむつの切断可能線を切断して前側右側部を展開した状態の正面図を表す。
【図３】図２に示した使い捨ておむつの前側股部の折り畳みを展開した状態の正面図を表す。
【図４】図１に示した使い捨ておむつのＩＶ−ＩＶ部分断面図を表す。
【図５】図３に示した使い捨ておむつの前側左側部と股部を展開した状態を表し、オープン型で使用する場合の使い捨ておむつを内側面から見た平面図を表す。
【図６】図５に示した使い捨ておむつを外側面から見た平面図を表す。
【図７】図５と図６に示した使い捨ておむつのＶＩＩ−ＶＩＩ断面図を表す。
【図８】本発明の使い捨ておむつの他の例を表し、オープン型で使用する場合の使い捨ておむつを内側面から見た平面図を表す。
【図９】図８に示した使い捨ておむつを外側面から見た平面図を表す。
【図１０】図８と図９に示した使い捨ておむつのＸ−Ｘ断面図を表す。
【図１１】本発明の使い捨ておむつの他の例を表し、パンツ型で使用する場合の使い捨ておむつの正面図を表す。
【図１２】図１１に示した使い捨ておむつの切断可能線を切断して前側右側部を展開した状態の正面図を表す。
【図１３】図１２に示した使い捨ておむつの前側股部の折り畳みを展開した状態の正面図を表す。
【図１４】図１１に示した使い捨ておむつのＸＩＶ−ＸＩＶ部分断面図を表す。
【図１５】図１３に示した使い捨ておむつの前側左側部と股部を展開した状態を表し、オープン型で使用する場合の使い捨ておむつを内側面から見た平面図を表す。
【図１６】図１５に示した使い捨ておむつを外側面から見た平面図を表す。
【図１７】図１５と図１６に示した使い捨ておむつのＸＶＩＩ−ＸＶＩＩ断面図を表す。
【発明を実施するための形態】
【００１３】
本発明の使い捨ておむつは、パンツ型の使い捨ておむつとして使用することができるとともに、使い捨ておむつに設けられた切断可能線を切断することにより、オープン型の使い捨ておむつとしても使用することができるものである。以下、本発明の使い捨ておむつについて、図面を参照して説明する。なお本発明の使い捨ておむつは、図面に示された実施態様に限定されるものではない。
【００１４】
図１〜図７には、本発明の使い捨ておむつの一例を示した。図１は、パンツ型で使用する場合の使い捨ておむつの正面図を表す。図２は、図１に示した使い捨ておむつの切断可能線を切断して前側右側部を展開した状態の正面図を表す。図３は、図２に示した使い捨ておむつの前側股部の折り畳みを展開した状態の正面図を表す。図４は、図１に示した使い捨ておむつの線ＩＶ−ＩＶにおける前側胴部と前側股部の部分断面図を表す。図５は、図３に示した使い捨ておむつの前側左側部と股部を展開した状態を表し、オープン型で使用する場合の使い捨ておむつを内側面から見た平面図を表す。図６は、図５に示した使い捨ておむつを外側面から見た平面図を表す。図７は、図５と図６に示した使い捨ておむつのＶＩＩ−ＶＩＩ断面図を表す。
【００１５】
使い捨ておむつは、前後方向と幅方向とを有する。前後方向とは、使い捨ておむつを着用者が着用した際、着用者の股間の前後方向に延びる方向を意味する。幅方向とは、使い捨ておむつを着用者が着用した際、着用者の左右方向に相当する方向を意味する。なお使い捨ておむつは、使い捨ておむつを着用した状態に基づいて上方と下方が定められ、上下方向は前後方向と一致する。使い捨ておむつはまた、使い捨ておむつを着用した際の着用者側を内側とし、使い捨ておむつを着用した際の着用者とは反対側を外側とする。
【００１６】
使い捨ておむつ１は、胴周り部２を有する。胴周り部２は、図１に示すように、使い捨ておむつを着用の際に着用者の胴周りを囲うように設けられる部分であり、環状に形成される。胴周り部２は前側胴部３と後側胴部４を有する。前側胴部３と後側胴部４は胴周り部２の幅方向の両端で互いに区分され、胴周り部２の前側部分を前側胴部３とし、胴周り部２の後側部分を後側胴部４とする。前側胴部３は、使い捨ておむつを着用する際に着用者の腹側に当てられる部分であり、後側胴部４は着用者の背側に当てられる部分である。
【００１７】
本発明の使い捨ておむつは、図１に示すように最初はパンツ型に形成されており、使い捨ておむつをパンツ型で使用する場合は、胴周り部２が環状に形成され、着用者の胴を入れるための胴周り開口を形成する。使い捨ておむつをオープン型で使用する場合は、図５に示すように、胴周り部２が切断可能線８で切断されて帯状に形成されることとなる。
【００１８】
前側胴部３と後側胴部４は共通の部材から構成されていてもよく、別の部材から構成されていてもよい。図面では、前側胴部３と後側胴部４が別部材から構成されており、前側胴部３と後側胴部４が幅方向の両端部でヒートシール等の接合手段により互いに接合されている。このように前側胴部３と後側胴部４とを連結して環状に形成して、胴周り部２を形成すれば、使い捨ておむつの製造が容易になる。
【００１９】
使い捨ておむつ１は、後側胴部４から前方（下方）に股部５が延在している。股部５は、使い捨ておむつ１を着用する際に着用者の股間に当てられる部分である。本発明において、後側胴部４と股部５は使い捨ておむつ１の前後方向に対して区分され、後側胴部４は、幅方向の両端で前側胴部３と接続する部分（領域）として定められ、股部５は、後側胴部４の前方端（下方端）から延在し、後側胴部４よりも前方にある部分として定められる。
【００２０】
股部５は、前後方向に前側股部５Ｆと後側股部５Ｂとこれらの間に位置する中間部５Ｍを有する。前側股部５Ｆは中間部５Ｍよりも前方に位置し、後側股部５Ｂは中間部５Ｍよりも後方に位置する。前側股部５Ｆは、後述するように、前側胴部３と重ね合わされる部分として規定される。換言すれば、中間部５Ｍは前側胴部３とは重ね合わされない。中間部５Ｍと後側股部５Ｂは前後方向に任意に区分されるが、中間部５Ｍは後側股部５Ｂよりも幅狭に形成されることが好ましい。
【００２１】
股部５には、吸収性コア９が備えられている。吸収性コア９は少なくとも股部５に存在すればよく、図５や図６に示されるように、さらに後側胴部４にかけて存在してもよい。吸収性コア９の形状（平面形状）は特に限定されない。吸収性コア９の形状としては、例えば、略長方形、砂時計型、ひょうたん型、羽子板型等が挙げられる。
【００２２】
使い捨ておむつ１には、吸収性コア９の幅方向の両側に、立ち上がりフラップ１３が設けられることが好ましい（図５および図７を参照）。立ち上がりフラップ１３を設けることにより、尿等の排泄物の横漏れを防ぐことができる。立ち上がりフラップ１３が立ち上がった状態の上端部（着用者側の端部）には、起立用弾性部材１４が設けられていることが好ましい。起立用弾性部材１４の収縮力により、立ち上がりフラップ１３が起立しやすくなる。
【００２３】
前側股部５Ｆは、前側胴部３の内側に重ね合わされて前側胴部３に固定部で固定され、前側胴部３には、固定部の幅方向の両側（幅方向の外方両側）に切断可能線８が形成されている（図１〜図３を参照）。固定部は、接着剤、熱融着、超音波融着等の公知の接合手段により形成されればよい。前側股部５Ｆが前側胴部３に固定されることにより、使い捨ておむつ１は、図１に示すように前側胴部３が切断可能線８で切断されていない状態で、股部５の両側に着用者の脚を入れるための脚開口が形成される。使い捨ておむつ１は、図１に示す状態で、パンツ型の使い捨ておむつとして使用することができる。
【００２４】
前側胴部３は、切断可能線８で切断することにより、固定部を有する前側中央部３Ｃとその両側の前側左側部３Ｌと前側右側部３Ｒとに分離可能となっている。使い捨ておむつ１は、胴周り部２を切断可能線８で切断すると、図５に示すように、前側胴部３が左右に分離して胴周り部２が帯状に形成されるとともに、股部５が、左右に分離した前側胴部３（すなわち、前側左側部３Ｌと前側右側部３Ｒ）から分離される。使い捨ておむつ１は、図５に示す状態で、オープン型の使い捨ておむつとして使用することができる。
【００２５】
前側胴部３の切断可能線８は、前側胴部３にミシン目を設けたり、前側胴部３を部分的に加熱して脆弱化したりすることにより形成することができる。図面では、切断可能線８として、前側胴部３にミシン目が形成されている。切断可能線８は、前側胴部３を前側中央部３Ｃと前側左側部３Ｌと前側右側部３Ｒとに分離することができるように設けられる限り、その配設形状は特に限定されない。切断可能線８は、図面に示すように直線状に設けられてもよく、曲線状（例えば、蛇行線状）に設けられてもよい。
【００２６】
前側左側部３Ｌと前側右側部３Ｒには止着手段１０が備えられている。止着手段１０は、使い捨ておむつ１をオープン型の使い捨ておむつとして使用する場合に、使い捨ておむつ１を着用者の股間と腰周りに当ててパンツ形状に形成するために用いられる。止着手段１０は、前側左側部３Ｌと前側右側部３Ｒを、前側中央部３Ｃおよび／または前側股部５Ｆに着脱できるものであればよい。従って、前側左側部３Ｌと前側右側部３Ｒは、切断可能線８が切断された状態で、止着手段１０により前側中央部３Ｃおよび／または前側股部５Ｆに着脱可能となっている。
【００２７】
止着手段１０としては、フック・ループ・ファスナーのフック部材やループ部材、粘着テープ等を用いればよい。止着手段１０は、前側左側部３Ｌと前側右側部３Ｒを前側中央部３Ｃおよび／または前側股部５Ｆに着脱可能に形成できる限り、これらの部材を直接的に前側左側部３Ｌと前側右側部３Ｒに取り付けてもよいし、間接的に前側左側部３Ｌと前側右側部３Ｒに取り付けてもよい。例えば後者の場合、フック部材、ループ部材、あるいは粘着テープ等を基材に取り付けて、これを止着手段１０として前側左側部３Ｌと前側右側部３Ｒに取り付けてもよい。この場合、基材の一部のみを前側左側部３Ｌまたは前側右側部３Ｒに取り付けて止着タブを形成してもよい。このように形成した止着タブはフラップのように機能させることができ、使用前に折り畳んで、使用時に展開させて使用することが可能となる。
【００２８】
止着手段１０としてフック部材を採用する場合は、前側中央部３Ｃおよび／または前側股部５Ｆにフック・ループ・ファスナーのループ部材を設けたり、前側中央部３Ｃおよび／または前側股部５Ｆをループ部材として機能する材料（例えば、不織布、織布、編布等）で構成すればよい。止着手段１０として粘着テープを採用する場合は、前側中央部３Ｃおよび／または前側股部５Ｆにプラスチックフィルムを設けたり、前側中央部３Ｃおよび／または前側股部５Ｆをプラスチックフィルムで構成すればよい。このように前側中央部３Ｃおよび／または前側股部５Ｆを構成すれば、止着手段１０によって前側左側部３Ｌと前側右側部３Ｒを前側中央部３Ｃおよび／または前側股部５Ｆに着脱可能に形成できる。
【００２９】
止着手段１０としてはフック部材を用いることが好ましい。フック部材としては、例えば、錨形や鉤形やきのこ型等の形状のフックを多数表面に有する部材を採用すればよい。図１〜図６では、止着手段１０として、前側左側部３Ｌと前側右側部３Ｒの内側面にフック部材が設けられている。また、前側中央部３Ｃの外側面にはループ部材を有する止着対応部１２が設けられており、前側左側部３Ｌと前側右側部３Ｒが前側中央部３Ｃの止着対応部１２に着脱可能に形成されている。さらに、前側股部５Ｆの外側面を不織布で構成することにより、前側左側部３Ｌと前側右側部３Ｒを前側股部５Ｆに着脱可能とすることもできる。
【００３０】
使い捨ておむつ１は、図５および図６に示すように、前側股部５Ｆが股部５の中間部５Ｍよりも幅広に（幅方向に長く）形成されている。そのため、使い捨ておむつ１をオープン型の使い捨ておむつとして使用する場合に、前側股部５Ｆを幅方向の外方に引っ張りながら着用者の下腹部に当てることが容易になり、使い捨ておむつを装着しやすくなる。
【００３１】
一方、前側股部５Ｆは前側胴部３の内側に取り付けられており、そのため、使い捨ておむつ１をパンツ型の使い捨ておむつとして使用する場合に、前側股部５Ｆの幅方向の外方部分が着用者の肌に引っ掛かって、端部が不規則に折れ曲がったりして、邪魔になるおそれがある。従って、本発明の使い捨ておむつ１では、図１および図２に示すように、前側股部５Ｆの固定部より幅方向の外方の部分が前側胴部３側に折り返されて、折り畳み部６が形成されている。このように前側股部５Ｆの幅方向の外方部分が前側胴部３側に折り返されることにより、使い捨ておむつ１をパンツ型の使い捨ておむつとして使用した場合に、前側股部５Ｆが邪魔になりにくくなり、着用感が向上する。使い捨ておむつ１をオープン型の使い捨ておむつとして使用する際には、折り畳み部６の折り返しを展開して、前側股部５Ｆを幅広に形成すれば、オープン型使い捨ておむつとしての操作性が向上する。
【００３２】
前側股部５Ｆはまた、折り畳み部６を展開した状態で、前側中央部３Ｃよりも幅広に形成されている。つまり切断可能線８は、折り畳み部６の折り返しを展開した状態で、前側股部５Ｆの幅方向の両側縁よりも内方に形成されている。その結果、使い捨ておむつ１をオープン型の使い捨ておむつとして使用して着用する際に、着用者の胴周りのサイズに応じて、止着手段１０を前側中央部３Ｃおよび／または前側股部５Ｆに留める位置をより広範に調整することができるようになる。切断可能線８が前側股部５Ｆの幅方向の両側縁よりも内方に形成されていれば、例えば、オープン型の使い捨ておむつとして使用する場合の胴周り開口の周長を、パンツ型の使い捨ておむつとして使用する場合の胴周り開口の周長よりも長くすることが可能となる。
【００３３】
切断可能線８は、折り畳み部６が折り返された状態で、前側股部５Ｆの幅方向の両側縁より内方に形成されていることが好ましい。切断可能線８がこのように形成されていれば、使い捨ておむつ１をパンツ型の使い捨ておむつとして使用する際に、切断可能線８が前側股部５Ｆと重なって位置することとなり、切断可能線８が不用意に切断されにくくなる。
【００３４】
折り畳み部６を形成するために前側股部５Ｆの幅方向の外方部分を折り返す回数は、特に限定されない。図面では、前側股部５Ｆの幅方向の一方側の外方部分が１回だけ折り返されているが、２回以上折り返してもよい。前側股部５Ｆの幅方向の一方側の外方部分が２回以上折り返される場合、折り畳み部６は断面がアコーディオン状に形成されてもよく、ロール状に形成されてもよい。好ましくは、前側股部５Ｆの幅方向の一方側の外方部分はアコーディオン状に２回折り返される（すなわち、断面Ｚ字状に折り畳まれる）。
【００３５】
折り畳み部６には吸収性コア９が存在しないことが好ましい。すなわち前側股部５Ｆには、折り畳み部６の折り返しが展開された状態で、折り畳み部６を形成するための折り目７よりも幅方向の外方に吸収性コア９が存在しないことが好ましい。折り畳み部６に吸収性コア９が存在しなければ、折り畳み部６が嵩張らずにコンパクトに折り畳むことができる。
【００３６】
折り畳み部６は、前側股部５Ｆが吸収性コア９の幅方向の両側縁に沿って折り返されることにより形成されることが好ましい。このように折り畳み部６を形成すれば、前側股部５Ｆの幅方向の外方部分を、吸収性コア９の幅方向の縁を利用して折り返すことで、折り畳み部６の形成が容易になる。
【００３７】
折り畳み部６は、前側胴部３側に折り返された状態で、前側股部５Ｆに仮留めされていることが好ましい。詳細には、折り畳み部６は、折り畳み部６を形成する折り目７よりも幅方向の内方部分で前側股部５Ｆと仮留めされることが好ましい。折り畳み部６が前側股部５Ｆに仮留めされていれば、使い捨ておむつ１をパンツ型の使い捨ておむつとして使用する場合に、折り畳み部６の折り返しが不用意に展開しにくくなり、使い捨ておむつの取り扱い性が向上する。使い捨ておむつ１をオープン型の使い捨ておむつとして使用する際には、仮留めを解除して折り畳み部６の折り返しを展開する。
【００３８】
折り畳み部６の仮留めは、フック・ループ・ファスナーや接着剤等の接合手段により行えばよい。例えば、仮留めのための接合手段として接着剤を用いる場合は、接着剤の種類や組成、接着剤の塗布パターンの選択により、仮留めの接合強度を調整することができる。図２および図３では、折り畳み部６にフック・ループ・ファスナーのフック部材１１が設けられ、フック部材１１により折り畳み部６が前側股部５Ｆ（具体的には、前側股部５Ｆの折り畳み部６を形成する折り目７よりも幅方向の内方部分）に仮留めされている。なお、このように設けられたフック部材１１は、使い捨ておむつ１をオープン型の使い捨ておむつとして使用する際に、前側股部５Ｆ（折り畳み部６）を前側左側部３Ｌまたは前側右側部３Ｒと着脱可能に形成するように機能し得る。
【００３９】
また、図１〜図３に示されるように、前側左側部３Ｌと前側右側部３Ｒの内側面に止着手段１０としてフック部材を設ける場合は、このフック部材が、前側胴部３側に折り返された状態の折り畳み部６と着脱可能に形成され得る。この場合、パンツ型の使い捨ておむつとして使用する場合に、折り畳み部６が前側胴部３と仮留めされることとなり、折り畳み部６の折り返しが展開しにくくなる。また、使い捨ておむつ１をオープン型の使い捨ておむつとして使用する際には、前側胴部３を切断可能線８で切断して前側左側部３Ｌと前側右側部３Ｒを展開すると、折り畳み部６が前側左側部３Ｌと前側右側部３Ｒに引っ張られる形で折り返しが展開されやすくなり、使い捨ておむつの取り扱い性が向上する。なお、折り畳み部６と前側胴部３との仮留めは、止着手段１０として設けられたフック部材により行われる態様に限定されず、折り畳み部６と前側胴部３とを接着剤等の接合手段により仮留めしてもよい。
【００４０】
本発明の使い捨ておむつの積層構造は特に限定されない。使い捨ておむつは、例えば、トップシートとバックシートとの間に吸収性コアが配された積層体からなり、この積層体が胴周り部と股部を構成したり、あるいは、胴周り部を構成する外装体の内側に、トップシートとバックシートとの間に吸収性コアが配された吸収性本体が設けられてもよい。図１〜図７には、前者のように構成された使い捨ておむつが示されている。
【００４１】
図１〜図７に示した使い捨ておむつでは、液透過性のトップシート１８と液不透過性のバックシート１９の間に吸収性コア９が配され、トップシート１８の幅方向の両側にサイドシート２０が設けられて、後側胴部４と股部５を構成している（図５〜図７を参照）。バックシート１９は、後側胴部４から股部５にかけて延在し、後側胴部４と股部５の外縁を規定している。前側胴部３も２枚のシート部材が積層して構成されている。なお、図１〜図７に示した使い捨ておむつでは、前側胴部３と後側胴部４が別部材から構成されているが、前側胴部３が後側胴部４と同じ部材から構成され、前側胴部３がトップシート１８とサイドシート２０が積層して構成されてもよい。
【００４２】
サイドシート２０の内方端には起立用弾性部材１４が設けられ、起立用弾性部材１４の収縮力によりサイドシート２０が立ち上がって、立ち上がりフラップ１３が形成される。
【００４３】
図１〜図７に示した使い捨ておむつでは、前側股部５Ｆの折り畳み部６が、バックシート１９とサイドシート２０が積層されて構成されている。そして、バックシート１９とサイドシート２０が、前側股部５Ｆの幅方向の外方部分で、吸収性コア９の幅方向の両側縁に沿って前側胴部３側に折り返されることにより、折り畳み部６が形成されている。
【００４４】
胴周り部２には、使い捨ておむつの幅方向に延びる弾性部材（胴部弾性部材）１５が配されていることが好ましい。より好ましくは、胴部弾性部材１５は複数本配される。このように胴部弾性部材１５が配されていれば、使い捨ておむつの胴周りでのフィット性が向上する。特に、前側左側部３Ｌと前側右側部３Ｒに胴部弾性部材１５が配されていれば、使い捨ておむつ１をオープン型の使い捨ておむつとして使用する際に、前側左側部３Ｌと前側右側部３Ｒを止着手段１０により前側中央部３Ｃおよび／または前側股部５Ｆに留める位置を、着用者の体型に合わせて調節しやすくなる。また胴部弾性部材１５は、後側胴部４に配されることも好ましい。なお、胴部弾性部材１５は吸収性コア９と重ならないように配されることが好ましく、その結果、胴部弾性部材１５の収縮力により吸収性コア９が歪みにくくなる。
【００４５】
胴周り部２には、胴周り開口縁に沿ってウェスト弾性部材１６が配されていることが好ましい。ウェスト弾性部材１６は胴部弾性部材１５よりも胴周り開口縁の近くに配され、前側左側部３Ｌと前側中央部３Ｃと前側右側部３Ｒと後側胴部４にそれぞれ配されることが好ましい。より好ましくは、ウェスト弾性部材１６は、胴部弾性部材１５よりも狭い間隔で複数本配される。ウェスト弾性部材１６により、着用者が寝ている状態で胴周り開口からの尿漏れが防止される。
【００４６】
使い捨ておむつ１は、脚開口縁に沿って脚弾性部材１７が配されていることが好ましい。より好ましくは、脚弾性部材１７は複数本配される。脚弾性部材１７が配されることにより、着用者の脚周りのフィット性が向上する。
【００４７】
胴部弾性部材１５は、２枚のシート部材間に配されることが好ましい。図１〜図７に示した使い捨ておむつでは、後側胴部４に配される胴部弾性部材１５やウェスト弾性部材１６や股部５に配される脚弾性部材１７は、サイドシート２０またはトップシート１８とバックシート１９の間に配されている。前側胴部３についても、２枚のシート部材が積層して構成され、胴部弾性部材１５やウェスト弾性部材１６がシート部材間に配されることが好ましい。
【００４８】
本発明の使い捨ておむつは、図１に示すように最初はパンツ型に形成されており、この状態でパンツ型の使い捨ておむつとして使用できる。オープン型の使い捨ておむつとして使用する場合は、図２に示すように前側胴部３を切断可能線８で切断して前側右側部３Ｒと前側左側部３Ｌを展開し、さらに図３に示すように前側股部５Ｆの折り畳み部６を展開し、図５に示すように股部５を展開し、このように変形することによりオープン型の使い捨ておむつとして使用できる。
【００４９】
次に、本発明の使い捨ておむつの別の態様について、図８〜図１０を参照して説明する。図８には、オープン型で使用する場合の使い捨ておむつを内側面から見た平面図を表す。図９は、図８に示した使い捨ておむつを外側面から見た平面図を表す。図１０は、図８と図９に示した使い捨ておむつのＸ−Ｘ断面図を表す。なお、パンツ型で使用する場合の使い捨ておむつの正面図は図１と同じであり、使い捨ておむつの切断可能線を切断して前側右側部を展開した状態の正面図は図２と同じであり、さらに前側股部の折り畳みを展開した状態の正面図は図３と同じである。下記の説明において、上記の実施態様と重複する部分の説明は省略する。
【００５０】
図８〜図１０に示した使い捨ておむつは、パンツ形状を有する外装体２１と、外装体２１の内側に取り付けられ、液透過性のトップシート２７と液不透過性のバックシート２８の間に吸収性コア９が配されて形成された吸収性本体２６を有する。外装体２１は、胴周り部２と股部５を含んで構成され、後側胴部４と股部５（後側股部５Ｂ、中間部５Ｍ、前側股部５Ｆ）を含む外装本体部２２と、前側胴部３を含む外装前帯部２３とが、幅方向の両端部で連結されるとともに、外装本体部２２の前側股部５Ｆが外装前帯部２３の前側中央部３Ｃに固定部で固定されることにより、パンツ形状に形成されている。外装体２１はまた、前側股部５Ｆの折り畳み部６も構成している。
【００５１】
外装体２１は、内側シート２４と外側シート２５が積層され（図１０を参照）、内側シート２４と外側シート２５の間に胴部弾性部材１５と脚弾性部材１７が配されている。
【００５２】
吸収性本体２６は外装体２１の少なくとも股部５に取り付けられ、図８および図９に示すようにさらに後側胴部４に延在して取り付けられてもよい。図８では吸収性本体２６は略長方形を有しており、このように吸収性本体２６が形成されていれば、吸収性本体２６の製造が容易になる。さらに、吸収性コア９を吸収性本体２６として使い捨ておむつ１に設けることで、使い捨ておむつの製造も容易になる。
【００５３】
吸収性本体２６は、図１０に示されるように、バックシート２８の幅方向の両端がトップシート２７側に折り返されて、立ち上がりフラップ１３を形成している。トップシート２７側に折り返されたバックシート２８の幅方向の両端部には、立ち上がりフラップ１３の起立を促すために、起立用弾性部材１４が設けられている。
【００５４】
図８および図９では、外装体２１の前側股部５Ｆが、吸収性本体２６よりも幅方向の外方部分で、吸収性本体２６の幅方向の両側縁に沿って前側胴部３側に折り返されて、折り畳み部６が形成されている。折り畳み部６は、このように、吸収性本体２６の外側に設けられた外装体２１により構成されてもよい。
【００５５】
図１１〜図１７には、本発明の使い捨ておむつのさらに別の態様を示した。図１１は、パンツ型で使用する場合の使い捨ておむつの正面図を表す。図１２は、図１１に示した使い捨ておむつの切断可能線を切断して前側右側部を展開した状態の正面図を表す。図１３は、図１２に示した使い捨ておむつの前側股部の折り畳みを展開した状態の正面図を表す。図１４は、図１１に示した使い捨ておむつの線ＸＩＶ−ＸＩＶにおける前側胴部と前側股部の部分断面図を表す。図１５は、図１３に示した使い捨ておむつの前側左側部と股部を展開した状態を表し、オープン型で使用する場合の使い捨ておむつを内側面から見た平面図を表す。図１６は、図１５に示した使い捨ておむつを外側面から見た平面図を表す。図１７は、図１５と図１６に示した使い捨ておむつのＸＶＩＩ−ＸＶＩＩ断面図を表す。下記の説明において、上記の実施態様と重複する部分の説明は省略する。
【００５６】
図１１〜図１７に示した使い捨ておむつは、胴周り部２を含む外装体２１と、外装体２１の内側に取り付けられ、液透過性のトップシート２７と液不透過性のバックシート２８の間に吸収性コア９が配されて形成された吸収性本体２６を有する（図１５〜図１７を参照）。外装体２１は、少なくとも胴周り部２を含んで環状に形成されており、図面では、後側胴部４と後側股部５Ｂを含む外装本体部２２と前側胴部３を含む外装前帯部２３とが、幅方向の両端部で連結して環状に形成されている。なお、図１１〜図１７に示した使い捨ておむつでは、外装体２１は中間部５Ｍや前側股部５Ｆには設けられていない。
【００５７】
外装体２１は、内側シート２４と外側シート２５が積層され、内側シート２４と外側シート２５の間に胴部弾性部材１５と脚弾性部材１７が配されている。
【００５８】
吸収性本体２６は、パンツ型の使い捨ておむつの状態で、外装体２１の外装本体部２２と外装前帯部２３を繋ぐように設けられている。吸収性本体２６は略長方形を有しており、図８〜図１０に示した使い捨ておむつと同じように構成されている。
【００５９】
吸収性本体２６には、前側股部５Ｆに、吸収性本体２６の幅方向の両側縁より外方に延在するフラップシート２９が設けられ、図１１および図１２に示されるように、フラップシート２９が前側胴部３側に折り返されることにより折り畳み部６が形成されている。このように折り畳み部６を形成すれば、折り畳み部６を簡単に形成することができる。
【００６０】
フラップシート２９は、図１１〜図１６に示すように、バックシート２８の外側に設けられることが好ましく、このようにフラップシート２９を設けることにより、フラップシート２９を備えた吸収性本体２６を簡単に製造することができる。
【００６１】
図１１〜図１７に示した使い捨ておむつでは、折り畳み部６を形成する折り目７よりも幅方向の内方の前側股部５Ｆに、折り畳み部６を仮留めするためのフック部材１１が設けられている。このように折り畳み部６を仮留めするための接合手段を設けてもよい。
【００６２】
フラップシート２９は着用者の腹部の肌に直接接するため、フラップシート２９を肌触りの良好な素材で構成することにより、使い捨ておむつの着用感を向上させることができる。特に、フラップシート２９をスパンボンド不織布で構成することにより、通気性が確保されやすくなり、使い捨ておむつを着用した時の蒸れが低減される。
【００６３】
フラップシート２９は、湿りを低減する点から、液不透過性であることが好ましい。従って、不織布としては疎水性繊維から形成された不織布を用いることが好ましい。疎水性繊維としては、疎水性の強さや製造容易性から、ポリオレフィンおよび／またはポリエステルの繊維を用いることが好ましい。しかし、ポリオレフィンおよび／またはポリエステル不織布は、そのままでは柔軟性に劣り、肌触りが良好とはいえない。そこで、フラップシート２９には、ポリオレフィンおよび／またはポリエステルと界面活性剤とを含むポリマー組成物を溶融して形成された不織布を用いることが好ましい。界面活性剤を不織布を形成する際の繊維原料（ポリマー組成物）に配合することで、得られる不織布が、ポリオレフィンおよび／またはポリエステル由来の疎水性が維持されるとともに、界面活性剤の添加により不織布に柔軟性が付与される。その結果、柔軟で、液不透過性の不織布が得られる。
【００６４】
ポリマー組成物に含まれるポリオレフィンとしては、不織布に一般に用いられるポリオレフィンを用いることができ、例えば、ポリエチレン、ポリプロピレン、ポリイソブチレン等を用いればよい。これらの中でも、製造容易性やコストの点から、ポリエチレンおよび／またはポリプロピレンが好ましい。これらは、１種のみを用いてもよく、２種以上を併用してもよい。
【００６５】
ポリマー組成物に含まれるポリエステルとしては、不織布に一般に用いられるポリエステルを用いることができ、例えば、ポリエチレンテレフタレート（ＰＥＴ）、ポリブチレンテレフタレート（ＰＢＴ）、ポリトリメチレンテレフタレート（ＰＴＴ）等を用いればよい。これらは、１種のみを用いてもよく、２種以上を併用してもよい。
【００６６】
界面活性剤としては、カチオン性界面活性剤、アニオン性界面活性剤、両性界面活性剤、またはノニオン性界面活性剤を用いることができるが、なかでもノニオン性界面活性剤が好ましい。ノニオン性界面活性剤は親水部が非イオン性であるため、ポリマー組成物の一成分としてノニオン性界面活性剤を用いることで、ポリオレフィンおよび／またはポリエステル不織布の疎水性を維持しやすくなる。また、ノニオン性界面活性剤は、ポリオレフィンやポリエステルとの親和性が比較的良好であり、不織布に柔軟性を付与しやすくなる。
【００６７】
フラップシート２９は、ポリオレフィンおよび／またはポリエステルと界面活性剤とを含むポリマー組成物を溶融して形成されたスパンボンド不織布で構成されることが好ましい。このようにフラップシート２９を構成することにより、フラップシート２９が液不透過性で通気性と肌触りに優れたものとなる。
【００６８】
フラップシート２９は、幅方向に引っ張って使用されることから、ある程度の強度を有することが好ましい。この点から、フラップシート２９に用いられる不織布の目付は、２５ｇ／ｍ2以上が好ましく、３０ｇ／ｍ2以上がより好ましい。一方フラップシート２９の不織布の目付が大きすぎても、フラップシート２９の通気性が確保されにくくなることから、フラップシート２９に用いられる不織布の目付は、６０ｇ／ｍ2以下が好ましく、５０ｇ／ｍ2以下がより好ましい。
【００６９】
フラップシート２９がスパンボンド不織布で構成される場合は、フラップシート２９を構成するスパンボンド不織布は、使い捨ておむつの幅方向に配向していることが好ましい。詳細には、スパンボンド不織布を構成する繊維が使い捨ておむつの幅方向に配向していることが好ましい。このようにスパンボンド不織布をフラップシート２９に適用することで、不織布の目付を増やさなくても、フラップシート２９の使い捨ておむつの幅方向の強度を高めることができる。つまり、フラップシート２９の強度と通気性の両方を確保しやすくなる。
【００７０】
スパンボンド不織布を構成する繊維の配向については、次のように説明される。スパンボンド不織布は、例えば、ポリマー原料を溶融し、紡糸口金から押し出して延伸し、これをコンベアベルト等の上に集積して、ウェブ状に形成することにより得られるが、この際、コンベアベルト上に集積されたウェブ（繊維）はコンベアベルトの進行方向に沿って配列されることとなる。従って、この場合、ウェブ（繊維）はコンベアベルトの進行方向（ＭＤ方向）に沿って配向することとなる。スパンボンド不織布の繊維の配向方向は、表面を顕微鏡等で観察することにより確認できる。
【００７１】
図１１〜図１７に示した使い捨ておむつでは、止着手段１０として、前側左側部３Ｌと前側右側部３Ｒに止着タブが設けられている。止着タブは基材３０上にフック部材３１が設けられて形成され、フック部材３１が設けられた部分の基材３０がフラップ状に形成されている。止着タブに設けられたフック部材３１は、図１１および図１２に示すように、オープン型の使い捨ておむつとして使用する前はフック部材３１が露出しないように折り畳まれており、図１３および図１５に示すように、オープン型の使い捨ておむつとして使用する際に止着タブのフック部材３１が設けられた部分を展開して、フック部材３１を露出させる。このように止着手段１０を形成することにより、止着手段１０を前側中央部３Ｃの止着対応部１２に留めやすくなる。
【００７２】
本発明の使い捨ておむつを構成する部材の材料について説明する。トップシートは、使い捨ておむつの着用の際に着用者側に位置するシートであり、液透過性であればその材料は特に限定されない。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００７３】
バックシートは、吸収性コアの外側に配されるシートであり、液不透過性であればその材料は特に限定されない。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性とは撥水性の意味も含まれる。
【００７４】
外装体やそれを構成する内側シートや外側シートは、液透過性であっても液不透過性であってもよい。外装体やそれを構成する内側シートや外側シートは、トップシートやバックシートに使用可能なシート材料を用いることができる。外装体は内側シートに外側シートが積層されて形成されることが好ましく、液透過性の内側シートに液不透過性の外側シートが積層されて形成されることがより好ましい。
【００７５】
上記説明した各シート材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００７６】
フラップシートは液透過性であっても液不透過性であってもよい。フラップシートはトップシートやバックシートに使用可能なシート材料を用いることができる。なお、フラップシートは肌触りの良い材料で構成されることが好ましく、不織布から構成されることが好ましく、スパンボンド不織布から構成されることがより好ましい。さらに、フラップシートに用いる不織布は柔軟化処理が施されていることが好ましく、従ってフラップシートは、界面活性剤で処理した不織布を用いることが好ましい。
【００７７】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００７８】
吸収性材料は、尿等の吸収速度を高める点から、親水性繊維を含むことが好ましい。また、吸収容量を高める点からは、吸収性材料は吸水性樹脂を含むことが好ましい。吸収性材料は、例えば、親水性繊維の集合体に吸水性樹脂を混合または散布したものを用いることが好ましい。
【符号の説明】
【００７９】
１：使い捨ておむつ
２：胴周り部
３：前側胴部、３Ｃ：前側中央部、３Ｌ：前側左側部、３Ｒ：前側右側部
４：後側胴部
５：股部、５Ｆ：前側股部、５Ｍ：中間部、５Ｂ：後側股部
６：折り畳み部
８：切断可能線
９：吸収性コア
１０：止着手段
１３：立ち上がりフラップ
１８、２７：トップシート
１９、２８：バックシート
２０：サイドシート
２１：外装体
２６：吸収性本体
２９：フラップシート
【図１】
2014226143.tif 000003
【図２】
2014226143.tif 000004
【図３】
2014226143.tif 000005
【図４】
2014226143.tif 000006
【図５】
2014226143.tif 000007
【図６】
2014226143.tif 000008
【図７】
2014226143.tif 000009
【図８】
2014226143.tif 000010
【図９】
2014226143.tif 000011
【図１０】
2014226143.tif 000012
【図１１】
2014226143.tif 000013
【図１２】
2014226143.tif 000014
【図１３】
2014226143.tif 000015
【図１４】
2014226143.tif 000016
【図１５】
2014226143.tif 000017
【図１６】
2014226143.tif 000018
【図１７】
2014226143.tif 000019